【手続補正書】
【提出日】平成22年1月21日(2010.1.21)
【手続補正１】
【補正対象書類名】明細書
【補正対象項目名】００３７
【補正方法】変更
【補正の内容】
【００３７】
この例で、バインド処理部４０は移動機構４１を有している。移動機構４１は、バインダ紙揃えユニット３０の用紙搬送方向と、上述した搬送部１１の搬送方向と直交する位置との間を往復回動するように移動する。バインド処理部４０は、バインダ（綴じ部品）カセット４２を有している。バインダカセット４２には、複数個の綴じ部品４３がセットされる。綴じ部品４３は、例えば、射出成形され、用紙束３”の厚みに応じた複数種類が準備される。
【手続補正２】
【補正対象書類名】明細書
【補正対象項目名】００５１
【補正方法】変更
【補正の内容】
【００５１】
左右のカールフェンス部３４ａ，３４ｂは、動力伝達軸（カールフェンスシャフト）３０７に取り付けられている。動力伝達軸３０７の一端には、減速歯車３０９を介してモータ３０１が取り付けられる。モータ３０１は駆動部の一例を構成し、カールフェンス部３４ａ，３４ｂを所定の方向に回転する。
【手続補正３】
【補正対象書類名】明細書
【補正対象項目名】００６１
【補正方法】変更
【補正の内容】
【００６１】
図３に示した用紙保留部３２の用紙搬出口の内側には、幅寄せ用の案内部材の一例を構成する、図４に示すようなサイドジョーガー７０（幅寄せ機構）が備えられ、用紙束揃え時に、用紙束３”の両側から幅寄せ部材を押し当てて、複数枚の用紙３’の幅を揃えるようになされる（第１のプレ整列処理）。第１のプレ整列処理は、複数枚の用紙３’の側端部を揃える用紙端部整列処理である。
【手続補正４】
【補正対象書類名】明細書
【補正対象項目名】００６２
【補正方法】変更
【補正の内容】
【００６２】
この例で、サイドジョーガー７０の下流側、すなわち、ユニット本体の用紙搬出口付近には整列ピン駆動機構９１（図８参照）が備えられ、用紙３’に開けられたパンチ孔３ａを利用して用紙束３”を揃え直すようになされる（第２のプレ整列処理）。第２のプレ整列処理は、用紙束３”の先端を揃え直す用紙先端整列処理である。用紙搬出時には、サイドジョーガー７０における幅寄せ部材が用紙束３”の両側に退避するようになされる。用紙束搬送路Ｉに余裕を持たせるためである（図５〜図７参照）。
【手続補正５】
【補正対象書類名】明細書
【補正対象項目名】００７１
【補正方法】変更
【補正の内容】
【００７１】
移動ステージ７５ｂの上部左端には幅寄せ基準ガイド７２ｂが取り付けられ、移動ステージ７５ａの上部右端には紙寄せガイド７２ａが取り付けられる。紙寄せガイド７２ａ及び幅寄せ基準ガイド７２ｂは例えば、鉄板を変形コ字状に折り曲げ加工したものが使用される。紙寄せガイド７２ａ及び幅寄せ基準ガイド７２ｂは、上流側が広く、下流側が狭くなされている。これは、カール状の用紙３’を用紙保留部３２の先端に再現性良くガイドするためである。
【手続補正６】
【補正対象書類名】明細書
【補正対象項目名】００８２
【補正方法】変更
【補正の内容】
【００８２】
図８は、整列ピン駆動機構９１の構成例を示す斜視図である。図８に示す整列ピン駆動機構９１は、図３に示したバインド紙揃えユニット３０から抽出したものであり、パンチ孔３ａが開けられた用紙束３”をそのパンチ孔３ａを基準にして揃え直すものである（用紙先端整列処理）。図８に示す用紙束３”は、ピン整列前に、アッパーシャフト８０３及びロアシャフト８０４を介してクランプ移動機構８０によって挟持されている状態である（第２の用紙処理装置）。
【手続補正７】
【補正対象書類名】明細書
【補正対象項目名】０１１３
【補正方法】変更
【補正の内容】
【０１１３】
クランパ８２ａは、ロアアーム８０１ａ、アッパーアーム８０１ｂを有して構成されている。ロアアーム８０１ａの一端にはロアシャフト８０４が可動自在に取り付けられている。アッパーアーム８０１ｂの一端にはアッパーシャフト８０３が可動自在に取り付けられている。
【手続補正８】
【補正対象書類名】明細書
【補正対象項目名】０１１５
【補正方法】変更
【補正の内容】
【０１１５】
規制孔付きのクランプシャーシ８０１及び８０２は、アッパーシャフト８０３及びロアシャフト８０４の移動を規制するクランプ開閉規制用の細長い開口部８０６ａ及び８０６ｂを有している。開口部８０６ａにはロアシャフト８０４の端部を露出し、開口部８０６ｂには、アッパーシャフト８０３の端部を露出するように組み立てられる。
【手続補正９】
【補正対象書類名】明細書
【補正対象項目名】０１１６
【補正方法】変更
【補正の内容】
【０１１６】
アッパーシャフト８０３には、図１３Ａに示すようなクシ型の上部押え部材８４ａが取り付けられ、ロアシャフト８０４には、クシ型の下部押え部材８４ｂが取り付けられる。クシ型の上部押え部材８４ａは、Ｕ字形状に切り落とした、クシ歯部位を有している。クシ歯部位の配置ピッチは、用紙束３”のパンチ孔３ａの配置ピッチに等しくなされている。
【手続補正１０】
【補正対象書類名】明細書
【補正対象項目名】０１１８
【補正方法】変更
【補正の内容】
【０１１８】
クランパ８２ｂは、右端側と同様に形成されるので、その説明を省略する。クランパ８２ｂと、クランパ８２ａとは、その後端で上述した支点軸部材８０５により可動自在に係合されると共に、前端では、規制孔付きのクランプシャーシ８０１及び８０２に、アッパーシャフト８０３及びロアシャフト８０４が可動自在に係合される。
【手続補正１１】
【補正対象書類名】明細書
【補正対象項目名】０１２９
【補正方法】変更
【補正の内容】
【０１２９】
図１４に示すクランプ移動機構８０における用紙束整列時の動作例によれば、クランパ８２ｂと、クランパ８２ａとがその後端では、支点軸部材８０５を基準にして、前端では、規制孔付きのクランプシャーシ８０１及び８０２の開口部８０６ａ及び８０６ｂにより、アッパーシャフト８０３及びロアシャフト８０４が制限を受けながらクランプ動作を実行する。
【手続補正１２】
【補正対象書類名】明細書
【補正対象項目名】０１３０
【補正方法】変更
【補正の内容】
【０１３０】
この例で、図１４に示したアッパーシャフト８０３に取り付けられたクシ型の上部押え部材８４ａと、ロアシャフト８０４に取り付けられたクシ型の下部押え部材８４ｂとが、用紙保留部３２に進入してくる用紙３’を保持する。このとき、図１３Ａに示した長い歯部位８０７は、その紙端部よりも前方に飛び出す位置で用紙束３”を挟み込み、短い歯部位８０８は、その紙端部よりも手前に控える位置で、用紙束３”を挟み込むようになされる。また、長い歯部位８０７がシャッター８３の開口部位に配されることで、上部押え部材８４ａ及び下部押え部材８４ｂの保持固定精度及びシャッター８３の閉鎖精度を向上させることができる。
【手続補正１３】
【補正対象書類名】明細書
【補正対象項目名】０１４０
【補正方法】変更
【補正の内容】
【０１４０】
規制孔付きのクランプシャーシ８０１及び８０２では、支点軸部材８０５を可動基準にしてロアアーム８０１ａとアッパーアーム８０１ｂとが開くように動作する。このとき、ロアシャフト８０４、アッパーシャフト８０３は、クランプシャーシ８０１及び８０２の細長い開口部８０６ａ、８０６ｂによって、移動が制限され、クランプシャーシ８０１及び８０２におけるクランプ開放幅が規制される。駆動力は、ロアアーム８０１ａに可動自在に取り付けられたロアシャフト８０４と、アッパーアーム８０１ｂに可動自在に取り付けられたアッパーシャフト８０３とに伝達される。
【手続補正１４】
【補正対象書類名】明細書
【補正対象項目名】０１４１
【補正方法】変更
【補正の内容】
【０１４１】
この結果、アッパーシャフト８０３に取り付けられたクシ型の上部押え部材８４ａと、ロアシャフト８０４に取り付けられたクシ型の下部押え部材８４ｂとが用紙束３”を自由開放する。これらのクランパ８２ａ，８２ｂが用紙束３”を自由開放状態としても、シャッター８３が閉鎖されていることにより、用紙束３”の自然落下をストップすることができる。
【手続補正１５】
【補正対象書類名】明細書
【補正対象項目名】０１４７
【補正方法】変更
【補正の内容】
【０１４７】
クランプシャーシ８０１及び８０２では、支点軸部材８０５を可動基準にしてロアアーム８０１ａとアッパーアーム８０１ｂとが閉じるように動作する。駆動力は、ロアアーム８０１ａに可動自在に取り付けられたロアシャフト８０４と、アッパーアーム８０１ｂに可動自在に取り付けられたアッパーシャフト８０３とに伝達される。この結果、アッパーシャフト８０３に取り付けられたクシ型の上部押え部材８４ａと、ロアシャフト８０４に取り付けられたクシ型の下部押え部材８４ｂとが用紙束３”を保持固定するようになる。
【手続補正１６】
【補正対象書類名】図面
【補正対象項目名】図１
【補正方法】変更
【補正の内容】
【図１】
2008100784.tif 000001
【手続補正１７】
【補正対象書類名】図面
【補正対象項目名】図２
【補正方法】変更
【補正の内容】
【図２】
2008100784.tif 000002
【手続補正１８】
【補正対象書類名】図面
【補正対象項目名】図３
【補正方法】変更
【補正の内容】
【図３】
2008100784.tif 000003
【手続補正１９】
【補正対象書類名】図面
【補正対象項目名】図４
【補正方法】変更
【補正の内容】
【図４】
2008100784.tif 000004
【手続補正２０】
【補正対象書類名】図面
【補正対象項目名】図５
【補正方法】変更
【補正の内容】
【図５】
2008100784.tif 000005
【手続補正２１】
【補正対象書類名】図面
【補正対象項目名】図６
【補正方法】変更
【補正の内容】
【図６】
2008100784.tif 000006
【手続補正２２】
【補正対象書類名】図面
【補正対象項目名】図７
【補正方法】変更
【補正の内容】
【図７】
2008100784.tif 000007
【手続補正２３】
【補正対象書類名】図面
【補正対象項目名】図８
【補正方法】変更
【補正の内容】
【図８】
2008100784.tif 000008
【手続補正２４】
【補正対象書類名】図面
【補正対象項目名】図１０
【補正方法】変更
【補正の内容】
【図１０】
2008100784.tif 000009
【手続補正２５】
【補正対象書類名】図面
【補正対象項目名】図１１
【補正方法】変更
【補正の内容】
【図１１】
2008100784.tif 000010
【手続補正２６】
【補正対象書類名】図面
【補正対象項目名】図１２
【補正方法】変更
【補正の内容】
【図１２】
2008100784.tif 000011
【手続補正２７】
【補正対象書類名】図面
【補正対象項目名】図１３
【補正方法】変更
【補正の内容】
【図１３】
2008100784.tif 000012
【手続補正２８】
【補正対象書類名】図面
【補正対象項目名】図１４
【補正方法】変更
【補正の内容】
【図１４】
2008100784.tif 000013
【手続補正２９】
【補正対象書類名】図面
【補正対象項目名】図１５
【補正方法】変更
【補正の内容】
【図１５】
2008100784.tif 000014
【手続補正３０】
【補正対象書類名】図面
【補正対象項目名】図１６
【補正方法】変更
【補正の内容】
【図１６】
2008100784.tif 000015
【手続補正３１】
【補正対象書類名】図面
【補正対象項目名】図１７
【補正方法】変更
【補正の内容】
【図１７】
2008100784.tif 000016
【手続補正３２】
【補正対象書類名】図面
【補正対象項目名】図１８
【補正方法】変更
【補正の内容】
【図１８】
2008100784.tif 000017